(57)【特許請求の範囲】
【請求項１】
利用者から条件を示す条件情報を受け付ける条件情報受付手段と、
サーバが備える第１の記憶手段に記憶されている記憶対象情報に関する情報を、前記サーバとは異なる利用者端末が備える第２の記憶手段に記憶させるよう記憶制御する記憶制御手段と、
前記記憶制御手段によって前記記憶対象情報に関する情報を前記第２の記憶手段に記憶させるよう記憶制御する場合、前記記憶対象情報の複製と、前記記憶対象情報の前記第１の記憶手段における所在を示す所在情報を少なくとも含む、前記記憶対象情報よりサイズが小さな代替情報とのどちらを記憶させるのかを、利用者から受け付けた条件情報が示す条件に基づいて前記記憶対象情報毎に判断する判断手段と、を含み、
前記記憶制御手段は、前記判断手段による判断結果に応じて、前記記憶対象情報毎に前記記憶対象情報の複製と前記代替情報とのどちらか一方を前記第２の記憶手段に記憶させるよう記憶制御する、
ことを特徴とする情報処理装置。
【請求項２】
前記記憶制御手段が、前記第１の記憶手段に記憶されている記憶対象情報の複製を前記第２の記憶手段に記憶させるよう記憶制御する際に、当該記憶対象情報の前記第１の記憶手段における所在を示す所在情報を含む代替情報が前記第２の記憶手段に記憶されている場合は、当該記憶対象情報の複製を、当該代替情報と置換して記憶させるよう記憶制御する、
ことを特徴とする請求項１に記載の情報処理装置。
【請求項３】
前記第２の記憶手段に記憶されている前記代替情報に含まれる前記所在情報を受け付ける所在情報受付手段と、
前記所在情報受付手段が前記所在情報を受け付けたときに、前記所在情報受付手段が受け付けた前記所在情報が含まれる前記代替情報を、前記所在情報受付手段が受け付けた所在情報が示す所在により特定される前記記憶対象情報の複製に置換する代替情報置換手段と、
をさらに含むことを特徴とする請求項１に記載の情報処理装置。
【請求項４】
前記第１の記憶手段に記憶されている記憶対象情報が、当該記憶対象情報に関する付加情報と関連付けられており、
前記代替情報は、前記付加情報の変更指示を示す付加情報変更指示情報を含み、
自己の装置が、
前記付加情報変更指示情報を受け付ける付加情報変更受付手段と、
前記付加情報変更指示情報が示す変更指示に応じて、前記付加情報を変更する付加情報変更手段と、
をさらに含む、
ことを特徴とする請求項１から３のいずれか一項に記載の情報処理装置。
【請求項５】
前記第１の記憶手段に記憶されている記憶対象情報が版管理されており、
前記判断手段が、前記記憶対象情報の版に基づいて、前記記憶対象情報の複製と前記代替情報とのどちらを前記第２の記憶手段に記憶させるかを判断する、
ことを特徴とする請求項１から４のいずれか一項に記載の情報処理装置。
【請求項６】
前記判断手段が、前記記憶対象情報が最新の版でない場合には、前記代替情報を前記第２の記憶手段に記憶させることを判断する、
ことを特徴とする請求項５に記載の情報処理装置。
【請求項７】
前記判断手段は、自己の装置が、前記記憶対象情報の複製を前記第１の記憶手段から前記第２の記憶手段に記憶させたことがある場合には、前記記憶対象情報の複製と前記代替情報とのうち、前記記憶対象情報の複製を前記第２の記憶手段に記憶させるよう判断する、
ことを特徴とする請求項１から６のいずれか一項に記載の情報処理装置。
【請求項８】
コンピュータに、
利用者から条件を示す条件情報を受け付ける条件情報受付ステップ、
サーバが備える第１の記憶手段に記憶されている記憶対象情報に関する情報を、前記サーバとは異なる利用者端末が備える第２の記憶手段に記憶する記憶ステップ、
前記記憶ステップにおいて前記記憶対象情報に関する情報を前記第２の記憶手段に記憶させる場合、前記記憶対象情報の複製と、前記記憶対象情報の前記第１の記憶手段における所在を示す所在情報を少なくとも含む、前記記憶対象情報よりサイズが小さな代替情報とのどちらを記憶させるのかを、利用者から受け付けた条件情報が示す条件に基づいて前記記憶対象情報毎に判断する判断ステップ、を実行させ、
前記記憶ステップでは、前記判断ステップにおける判断結果に応じて、前記記憶対象情報毎に前記記憶対象情報の複製と前記代替情報とのどちらか一方を前記第２の記憶手段に記憶する、
ことを特徴とするプログラム。
【発明の詳細な説明】
【技術分野】
【０００１】
本発明は、情報処理装置及びプログラムに関する。
【背景技術】
【０００２】
サーバに記憶されているファイル群のうちの一部（例えば、特定のフォルダに関連付けられるファイル群）を、パーソナルコンピュータ等のクライアントに記憶させて、クライアントがサーバと通信できない状況でも、クライアントの利用者が、サーバに記憶されているファイル群を利用できるようにした情報処理システムが存在する。この情報処理システムでは、クライアントに記憶させるファイル群などの電子情報のサイズが大きくなる場合がある。
【０００３】
特許文献１に開示されている技術では、サーバに記憶されているファイルに基づいて、サーバに記憶されているファイルの所在を示す目次情報を生成し、この目次情報をクライアントに記憶すると、クライアントの利用者は、クライアントに記憶されている目次情報に基づいて、サーバに記憶されているファイルを取得することができる。
【特許文献１】特開平１０−３３３９７０号公報
【発明の開示】
【発明が解決しようとする課題】
【０００４】
本発明は、第１の記憶手段に記憶されている電子情報に関する情報を第２の記憶手段に記憶させる場合において、記憶させる情報をすべて電子情報の実体とするものに比べて、記憶させる情報量が少なくなるようにする、かつ、記憶させる情報をすべて電子情報の実体の所在情報を含む情報とするものに比べて、第２の記憶手段に記憶させた情報から電子情報の実体を容易に読み出す情報処理装置及びプログラムを提供することを目的とする。
【課題を解決するための手段】
【０００５】
請求項１に記載の発明は、情報処理装置であって、第１の記憶手段に記憶されている記憶対象情報に関する情報を第２の記憶手段に記憶させるよう記憶制御する記憶制御手段と、前記記憶制御手段によって前記記憶対象情報に関する情報を前記第２の記憶手段に記憶させるよう記憶制御する場合、前記記憶対象情報と、前記記憶対象情報の前記第１の記憶手段における所在を示す所在情報を少なくとも含む、前記記憶対象情報よりサイズが小さな代替情報とのどちらを記憶させるのかを、予め定められた条件に基づいて前記記憶対象情報毎に判断する判断手段と、を含み、前記記憶制御手段は、前記判断手段による判断結果に応じて、前記記憶対象情報毎に前記記憶対象情報と前記代替情報とのどちらか一方を前記第２の記憶手段に記憶させるよう記憶制御する、こととしたものである。
【０００６】
請求項２に記載の発明は、請求項１に記載の情報処理装置であって、前記記憶制御手段が、前記第１の記憶手段に記憶されている記憶対象情報を前記第２の記憶手段に記憶させるよう記憶制御する際に、当該記憶対象情報の前記第１の記憶手段における所在を示す所在情報を含む代替情報が前記第２の記憶手段に記憶されている場合は、当該記憶対象情報を、当該代替情報と置換して記憶させるよう記憶制御する、こととしたものである。
【０００７】
請求項３に記載の発明は、請求項１に記載の情報処理装置であって、前記第２の記憶手段に記憶されている前記代替情報に含まれる前記所在情報を受け付ける所在情報受付手段と、前記所在情報受付手段が前記所在情報を受け付けたときに、前記所在情報受付手段が受け付けた前記所在情報が含まれる前記代替情報を、前記所在情報受付手段が受け付けた所在情報が示す所在により特定される前記記憶対象情報に置換する代替情報置換手段と、をさらに含むこととしたものである。
【０００８】
請求項４に記載の発明は、請求項１から３のいずれか一項に記載の情報処理装置であって、前記第１の記憶手段に記憶されている記憶対象情報が、当該記憶対象情報に関する付加情報と関連付けられており、前記代替情報は、前記付加情報の変更指示を示す付加情報変更指示情報を含み、自己の装置が、前記付加情報変更指示情報を受け付ける付加情報変更受付手段と、前記付加情報変更指示情報が示す変更指示に応じて、前記付加情報を変更する付加情報変更手段と、をさらに含む、こととしたものである。
【０００９】
請求項５に記載の発明は、請求項１から４のいずれか一項に記載の情報処理装置であって、前記第１の記憶手段に記憶されている記憶対象情報が版管理されており、前記判断手段が、前記記憶対象情報の版に基づいて、前記記憶対象情報と前記代替情報とのどちらを前記第２の記憶手段に記憶させるかを判断する、こととしたものである。
【００１０】
請求項６に記載の発明は、請求項５に記載の情報処理装置であって、前記判断手段が、前記記憶対象情報が最新の版でない場合には、前記代替情報を前記第２の記憶手段に記憶させることを判断する、こととしたものである。
【００１１】
請求項７に記載の発明は、請求項１から６のいずれか一項に記載の情報処理装置であって、前記判断手段は、自己の装置が、前記記憶対象情報を前記第１の記憶手段から前記第２の記憶手段に記憶させたことがある場合には、前記記憶対象情報と前記代替情報とのうち、前記記憶対象情報を前記第２の記憶手段に記憶させるよう判断する、こととしたものである。
【００１２】
請求項８に記載の発明は、プログラムであって、コンピュータに、第１の記憶手段に記憶されている記憶対象情報に関する情報を第２の記憶手段に記憶する記憶ステップ、前記記憶ステップにおいて前記記憶対象情報に関する情報を前記第２の記憶手段に記憶させる場合、前記記憶対象情報と、前記記憶対象情報の前記第１の記憶手段における所在を示す所在情報を少なくとも含む、前記記憶対象情報よりサイズが小さな代替情報とのどちらを記憶させるのかを、予め定められた条件に基づいて前記記憶対象情報毎に判断する判断ステップ、を実行させ、前記記憶ステップでは、前記判断ステップにおける判断結果に応じて、前記記憶対象情報毎に前記記憶対象情報と前記代替情報とのどちらか一方を前記第２の記憶手段に記憶する、こととしたものである。
【発明の効果】
【００１３】
請求項１，８に記載の発明によれば、第１の記憶手段に記憶されている電子情報に関する情報を第２の記憶手段に記憶させる場合において、記憶させる情報をすべて電子情報の実体とするものに比べて、記憶させる情報量が少なくなるようにすることができ、かつ、記憶させる情報をすべて電子情報の実体の所在情報を含む情報とするものに比べて、第２の記憶手段に記憶させた情報から電子情報の実体を容易に読み出すことができる。
【００１４】
請求項２に記載の発明によれば、第２の記憶手段に記憶対象情報とその代替情報とを記憶するものに比べて、第２の記憶手段に記憶させる情報量が少なくなるようにすることができる。
【００１５】
請求項３に記載の発明によれば、第２の記憶手段に記憶されている代替情報が示す所在情報が示す所在により特定される記憶対象情報を、第２の記憶手段に記憶させることができる。
【００１６】
請求項４に記載の発明によれば、第１の記憶手段に記憶されている記憶対象情報を第２の記憶手段に記憶させることなく、記憶対象情報に関する付加情報を変更することができる。
【００１７】
請求項５に記載の発明によれば、記憶対象情報のうちの特定の版について、その代替情報を、第２の記憶手段に記憶させることができる。
【００１８】
請求項６に記載の発明によれば、記憶対象情報の最新の版以外の版について、その代替情報を第２の記憶手段に記憶させることができる。
【００１９】
請求項７に記載の発明によれば、第２の記憶手段に記憶させたことがある記憶対象情報については、その後、その代替情報を第２の記憶手段に記憶させないようにすることができる。
【発明を実施するための最良の形態】
【００２０】
以下、本発明の実施形態について図面に基づき詳細に説明する。
【００２１】
図１のネットワーク構成図に例示するように、本実施形態における情報処理システム１０は、情報処理装置（サーバ）１２と、複数の利用者端末（クライアント）１４（１４−１〜１４−ｎ）を含んで構成される。サーバ１２と、クライアント１４とは、ローカル・エリア・ネットワーク（ＬＡＮ）などのネットワーク１６に接続されており、サーバ１２と、クライアント１４とは通信することができるようになっている。
【００２２】
図２は、本実施形態に係るサーバ１２のハードウェア構成を例示する図である。
【００２３】
サーバ１２は、制御部２０、記憶部２２、通信部２４を含んで構成される。制御部２０、記憶部２２、通信部２４は、バス２６を介して接続される。
【００２４】
制御部２０はＣＰＵ等のプログラム制御デバイスであり、サーバ１２にインストールされるプログラムに従って動作する。なお、このプログラムは、例えば、ＣＤ−ＲＯＭ、ＤＶＤ−ＲＯＭなどのコンピュータ可読な情報伝達媒体に格納することができ、情報伝達媒体を介して、あるいは、インターネットなどの通信ネットワークを介してサーバ１２に供給される。
【００２５】
記憶部２２は、ＲＡＭ等の記憶素子やハードディスクなどである。記憶部２２には、制御部２０によって実行されるプログラムなどが格納される。また、記憶部２２は、制御部２０のワークメモリとしても動作する。
【００２６】
また、記憶部２２には、クライアント１４に複製される対象となるファイルやフォルダなどといった電子情報などが格納されている。
【００２７】
通信部２４は、例えば、ネットワークインタフェースなどであり、制御部２０から入力される指示に従って、ネットワーク１６を介して、クライアント１４などへ情報を送信する。また、この通信部２４は、ネットワーク１６を介して受信される情報を制御部２０に出力する。
【００２８】
図１に例示するクライアント１４は、例えば、ＣＰＵ等の制御装置、ハードディスク等の記憶装置、ディスプレイ等の出力装置、キーボード、マウス等の入力装置、ネットワークボード等の通信装置を備えた公知のパーソナルコンピュータにより構成されている。
【００２９】
また、クライアント１４には、サーバ１２が備える記憶部２２に記憶されているファイルやフォルダなどといった電子情報をクライアント１４に複製させるためのクライアントプログラムがインストールされている。なお、このプログラムは、例えば、ＣＤ−ＲＯＭ、ＤＶＤ−ＲＯＭなどのコンピュータ可読な情報伝達媒体を介して、あるいは、インターネットなどの通信ネットワークを介してクライアント１４に供給される。
【００３０】
次に、サーバ１２が備える制御部２０で実現される機能について説明する。サーバ１２が備える制御部２０は、機能的には、図３の機能ブロック図に例示するように、記憶制御部３０、判断部３２、代替情報生成部３４、所在情報受付部３６、代替情報置換部３８、付加情報変更受付部４０、付加情報変更部４２、条件受付部４４、条件変更部４６、を含むものとして機能する。
【００３１】
これらの要素は、コンピュータであるサーバ１２にインストールされたプログラムを、サーバ１２が備えるＣＰＵ等の制御部２０で実行することにより実現されている。
【００３２】
ここで、これらの各機能の概要について説明する。
【００３３】
記憶制御部３０は、サーバ１２が備える記憶部２２に記憶されている記憶対象情報に関する情報（もちろん、記憶対象情報自体であっても構わない。）をクライアント１４が備える記憶装置に記憶させるよう記憶制御する。
【００３４】
記憶対象情報は、具体的には、例えば、メモリやハードディスクに記憶されている電子情報などといった、記憶されている記憶媒体の種類により特定される電子情報や、ハードディスク内の特定のドライブに記憶されている電子情報などといった、記憶されている物理的な位置により特定される電子情報や、特定のディレクトリ内やフォルダ内に記憶されている電子情報など、記憶されている論理的な位置により特定される電子情報などをいう。本実施形態では、記憶対象情報として、特定のフォルダと関連付けて管理されているファイル群、すなわち、特定のフォルダ内にある記憶対象ファイルを指すこととする。
【００３５】
また、記憶対象情報（例えば、記憶対象ファイル）は、記憶対象情報（例えば、記憶対象ファイル）に関する付加情報と関連付けられていてもよい。付加情報は、具体的には、例えば、記憶対象情報（例えば、記憶対象ファイル）の属性（例えば、そのファイルがマニュアル文書である場合における「マニュアル」）や、利用される場面を示すカテゴリ（例えば、そのファイルがテスト報告書である場合における「テストフェーズ」）などである。
【００３６】
判断部３２は、記憶制御部３０が、サーバ１２が備える記憶部２２に記憶されている記憶対象情報に関する情報をクライアント１４が備える記憶装置に記憶させるよう記憶制御する場合、記憶対象情報と、代替情報とのどちらを記憶されるのかを予め定められた条件に基づいて判断する。
【００３７】
この代替情報は、サーバ１２が備える記憶部２２における記憶対象情報の所在を示す所在情報を少なくとも含んでおり、記憶対象情報よりサイズが小さい。
【００３８】
代替情報は、具体的には、例えば、ファイルなどの記憶対象情報を圧縮した圧縮情報（例えば、圧縮ファイル）や、文書を示す記憶対象情報の要約を示す要約情報（例えば、要約ファイル）や、サムネールや、文書の一部（例えば、文書の先頭頁、途中の頁、最後のページなど）などである。
【００３９】
そして、代替情報に含まれる所在情報とは、例えば、記憶対象ファイルのパスやＵＲＬを示す情報などである。
【００４０】
また、記憶対象情報に付加情報が関連付けられている場合に、代替情報は、この付加情報の変更指示を示す付加情報変更指示情報を含んでいてもよい。付加情報変更指示情報とは、付加情報変更受付部４０が受け付ける情報である。付加情報変更指示情報の詳細については後述する。
【００４１】
代替情報をクライアント１４が備える記憶装置に記憶させるか否かを判断するための条件（以下、「代替判断条件」と呼ぶ。）は、具体的には、例えば、情報のサイズ（より具体的には、「１００ＭＢより大きなファイル」）、情報の種類や拡張子（より具体的には、「動画ファイル」や「拡張子がＭＰＧのファイル」）、情報の作成日時や更新日時（より具体的には、「２００７年に作成されたファイル」）など、記憶対象情報のうちの少なくとも一部を特定するための条件である。
【００４２】
また、例えば、記憶対象情報が版管理されている場合には、判断部３２は、記憶対象情報の版に基づいて、代替情報をクライアント１４が備える記憶装置に記憶させるか否かを判断するようにしてもよい。より具体的には、例えば、判断部３２は、記憶対象情報が最新の版でない場合に、代替情報をクライアント１４が備える記憶装置に記憶させることを判断してもよい。
【００４３】
なお、判断部３２が、サーバ１２が備える記憶部２２に記憶されている記憶対象情報のそれぞれについて、順次、代替情報をクライアント１４が備える記憶装置に記憶させるか否かを判断するようにしてもよい。
【００４４】
代替情報生成部３４は、記憶対象情報に基づいて代替情報を生成する。具体的には、先に説明したように、代替情報生成部３４は、記憶対象情報を圧縮した圧縮情報や、文書を示す記憶対象情報の要約を示す要約情報（例えば、要約ファイル）を生成する。代替情報生成部３４は、要約情報を、例えば、公知の要約生成技術によって生成する。
【００４５】
代替判断条件を示す条件情報は、メモリやハードディスクなどといった記憶媒体に記憶されていてもよい。本実施形態では、条件情報は、サーバ１２が備える記憶部２２に記憶されている。
【００４６】
そして、記憶制御部３０は、判断部３２により、記憶対象情報をクライアント１４が備える記憶装置に記憶される代わりに代替情報をクライアント１４が備える記憶装置に記憶させると判断される場合には、記憶対象情報の代わりに代替情報をクライアント１４が備える記憶装置に記憶させる。
【００４７】
所在情報受付部３６は、クライアント１４が備える記憶装置に記憶されている代替情報に含まれる所在情報をクライアント１４から受け付ける。
【００４８】
そして、代替情報置換部３８は、所在情報受付部３６が受け付けた所在情報が含まれる代替情報を、所在情報受付部３６が受け付けた所在情報が示す所在により特定される記憶対象情報に置換する。具体的には、例えば、要約であるＵＲＬを含んだ代替情報を、そのＵＲＬによって特定されるファイルによって置換する。
【００４９】
付加情報変更受付部４０は、代替情報に付加情報変更指示情報が含まれている場合に、付加情報変更指示情報を受け付ける。付加情報変更受付部４０は、具体的には、例えば、代替情報に付加情報が含まれている場合において、代替情報に含まれる所在情報（例えば、ＵＲＬ）によって特定される、サーバ１２が備える記憶部２２に記憶されている記憶対象情報に関連付けられた付加情報の変更要求を受け付ける。
【００５０】
そして、付加情報変更部４２は、付加情報変更受付部４０が受け付ける付加情報変更指示情報が示す付加情報の変更指示に従って、付加情報を変更する。
【００５１】
条件受付部４４は、代替情報をクライアント１４が備える記憶装置に記憶させるか否かを判断するための条件を受け付ける。
【００５２】
そして、条件変更部４６は、サーバ１２が備える記憶部２２に記憶されている予め定められた条件を示す条件情報を、条件受付部４４が受け付けた条件に変更する。
【００５３】
条件受付部４４と条件変更部４６が行う処理の詳細については後述する。
【００５４】
次に、情報処理システム１０の利用者が、サーバ１２が備える記憶部２２に記憶されたファイル群（記憶対象ファイル）をクライアント１４が備える記憶装置に記憶させるための設定を行う際に、サーバ１２、及び、クライアント１４が実行する処理の具体的な一例として、サーバ１２内の特定のフォルダ内に記憶された記憶対象ファイルをクライアント１４内の特定のフォルダ内に記憶させるための設定を行う処理の流れの一例を説明する。
【００５５】
まず、情報処理システム１０の利用者が、クライアント１４においてクライアントプログラムを実行すると、クライアント１４が備える制御装置は、図４に例示するメニュー画面５０を、クライアント１４が備えるディスプレイなどの出力装置に出力する。メニュー画面５０は、ファイル一覧表示ボタン５１と、要約取得条件設定ボタン５２を含んでいる。
【００５６】
ここで、情報処理システム１０の利用者が、要約取得条件設定ボタン５２を押下すると、クライアント１４が備える制御装置は、図５に例示する要約取得条件設定画面５３を、図４に例示するメニュー画面５０同様、クライアント１４が備えるディスプレイなどの出力装置に出力する。要約取得条件設定画面５３は、サーバ位置指定フォーム５４、クライアント位置指定フォーム５５、同期時刻指定フォーム５６、要約取得条件指定フォーム５７、即時同期チェックボックス５８、適用ボタン５９、キャンセルボタン６０を含んでいる。
【００５７】
利用者は、サーバ位置指定フォーム５４に、サーバ１２からクライアント１４に記憶させる対象となる記憶対象ファイルと関連付けられているフォルダ（例えば、記憶対象ファイルが入れられているフォルダ）の位置を入力する。具体的には、例えば、利用者は、サーバ位置指定フォーム５４に記憶対象ファイルが入れられているフォルダを示すＵＲＬ（例えば、図５に例示するように、「http://fujixxxxx.com/serverA/serverB/」）やパスなどを入力する。
【００５８】
そして、利用者は、クライアント位置指定フォーム５５に、サーバ位置指定フォーム５４で指定した位置に記憶されているファイルをクライアント１４において記憶させるフォルダの位置（ＵＲＬやパスなど）を入力する。具体的には、例えば、図５に例示するように、「D:\clientA\clientB\」と入力する。
【００５９】
そして、利用者は、サーバ１２が、記憶対象ファイルをクライアント１４が備える記憶装置に記憶させる時刻（ここでは、「同期時刻」と呼ぶ。）を同期時刻指定フォーム５６に入力する。具体的には、図５に例示するように、「毎日  午前０時」と入力する。
【００６０】
そして、利用者は、代替判断条件の一例である要約取得条件を要約取得条件指定フォーム５７に入力する。要約取得条件とは、要約ファイルをクライアント１４が備える記憶装置に記憶させるか否かを判断するための条件、すなわち、記憶対象ファイルの代わりに要約ファイルをクライアント１４が備える記憶装置に記憶させる記憶対象ファイルを特定するための条件をいう。具体的には、例えば、利用者は「ファイルサイズ」、「拡張子」、「作成日」、「更新日」などの条件を要約取得条件指定フォーム５７に入力する。
【００６１】
本実施形態では、利用者は、図５に例示するように、ファイルサイズが「１００ＭＢ以上」、又は、作成日が「１９９９年１２月３１日まで」という条件を要約取得条件指定フォーム５７に入力する。
【００６２】
なお、「ファイルサイズ」、「拡張子」、「作成日」、「更新日」は、要約取得条件の一例にすぎない。利用者が要約取得条件として他の条件を要約取得条件指定フォーム５７に入力するようにしてもよい。
【００６３】
また、代替判断条件（要約取得条件）の設定方法は上記方法に限られない。具体的には、例えば、記憶制御部３０が要約ファイルをクライアント１４が備える記憶装置に記憶させない記憶対象ファイルを特定する条件を、利用者が要約取得条件指定フォーム５７に入力するようにしてもよい。さらに、記憶制御部３０が記憶対象ファイルの代わりに要約ファイルをクライアント１４が備える記憶装置に記憶させる記憶対象ファイルを特定するための条件と、記憶制御部３０が記憶対象ファイル自体をクライアント１４が備える記憶装置に記憶させる記憶対象ファイルを特定する条件とを、利用者が要約取得条件指定フォーム５７に入力する構成であってもよい。
【００６４】
そして、利用者が適用ボタン５９を押下すると、クライアント１４はサーバ１２に、サーバ位置情報、クライアント位置情報、要約取得条件情報が含まれる同期設定情報を送信する。この同期設定情報は、要約取得条件情報が含まれていることからわかるように、先に説明した条件情報の具体的な一例である。
【００６５】
サーバ位置情報は、例えば、サーバ位置指定フォーム５４に入力された文字列（例えば、「http://fujixxxxx.com/serverA/serverB/」という文字列）を示す情報である。クライアント位置情報は、例えば、クライアント位置指定フォーム５５に入力された文字列（例えば、「D:\clientA\clientB\」という文字列）を示す情報である。また、要約取得条件情報は、例えば、要約取得条件指定フォーム５７に入力された情報に基づいて生成される条件を示す情報である。具体的には、例えば、ファイルサイズが「１００ＭＢ以上」、又は、作成日が「１９９９年１２月３１日まで」という条件を示す情報である。
【００６６】
そして、サーバ１２の条件受付部４４は、クライアント１４から送信される同期設定情報を受け付ける。そして、条件変更部４６は、受け付けた同期設定情報をサーバ１２が備える記憶部２２に出力する。このとき、既に、記憶部２２に同期設定情報が記憶されている場合には、条件変更部４６は、記憶部２２に記憶されている同期設定情報を条件受付部４４が受け付けた同期設定情報に変更する。
【００６７】
そして、クライアント１４は、クライアント位置情報と、同期時刻を示す同期時刻情報とをクライアント１４が備える記憶装置に出力する。
【００６８】
なお、利用者が、キャンセルボタン６０を押下すると、クライアント１４は、図４に例示するメニュー画面５０をクライアント１４が備えるディスプレイ等の出力装置に出力する。
【００６９】
利用者が、要約取得条件設定画面５３において、即時同期チェックボックス５８にチェックした上で、適用ボタン５９を押下した場合は、クライアント１４は同期設定情報とともに、サーバ１２が備える記憶部２２に記憶されているファイルをクライアント１４が備える記憶装置に記憶させることをサーバ１２に指示する同期指示情報をサーバ１２に送信する。
【００７０】
そして、記憶制御部３０は同期指示情報を受け付け、サーバ１２が備える記憶部２２に記憶されているファイルをクライアント１４が備える記憶装置に記憶させる。サーバ１２が備える記憶部２２に記憶されているファイルをクライアント１４が備える記憶装置に記憶させる際の処理の内容については後述する。
【００７１】
なお、サーバ１２が備える記憶部２２に記憶されたファイル群をクライアント１４が備える記憶装置に記憶させるための設定をサーバ１２に対して行う方法は上記方法に限られない。
【００７２】
具体的には、例えば、要約取得条件設定画面５３が、同期時刻指定フォーム５６ではなく同期間隔指定フォームを含み、利用者が、サーバ１２が備える記憶部２２に記憶されているファイルをクライアント１４が備える記憶装置に記憶させる時間間隔（例えば、２４時間）を同期間隔指定フォームに設定するようにしてもよい。
【００７３】
次に、サーバ１２が、サーバ１２が備える記憶部２２に記憶されている記憶対象ファイルをクライアント１４が備える記憶装置に記憶させる際の処理の流れの具体的な一例として、サーバ１２が、サーバ位置情報によって特定される、サーバ１２内のフォルダ（例えば、「http://fujixxxxx.com/serverA/serverB/」というＵＲＬにより特定されるフォルダ。以後、「サーバ側フォルダ」と呼ぶ。）内の記憶対象ファイルを、クライアント位置情報によって特定される、クライアント１４内のフォルダ（例えば、「D:\clientA\clientB\」というパスにより特定されるフォルダ。以後、「クライアント側フォルダ」と呼ぶ。）内に記憶させる際の処理の流れの一例を図６、及び、図７に例示するフロー図を参照しながら説明する。
【００７４】
なお、図６、及び、図７に例示するフロー図は、サーバ側フォルダ内の記憶対象ファイルを、クライアント側フォルダ内に記憶させる際におけるサーバ１２における処理の流れを例示した図である。
【００７５】
クライアント１４が備える記憶装置に記憶されている同期時刻情報が示す同期時刻（具体的には、例えば、毎日午前０時）になったら、クライアント１４は同期指示情報をサーバ１２に送信する。
【００７６】
そして、サーバ１２の記憶制御部３０は、クライアント１４から送信された同期指示情報を取得する（Ｓ１０１）。
【００７７】
そして、クライアント１４は、クライアント１４が備える記憶装置に記憶されているクライアント位置情報が示すフォルダ（ここでは、「D:\clientA\clientB\」というパスにより特定されるフォルダ）、すなわち、クライアント側フォルダ内のファイルの一覧を示すファイル一覧情報をサーバ１２に送信する。
【００７８】
図８は、図３に例示するメニュー画面５０において、利用者がファイル一覧表示ボタン５１を押下すると、クライアント１４が備える制御装置が、クライアント１４が備えるディスプレイ等の出力装置に出力するファイル一覧表示画面６１の一例を示す図である。図８に例示するように、ファイル一覧表示画面６１には、フォルダツリー表示部６２と、ファイル一覧表示部６３が含まれる。フォルダツリー表示部６２には、フォルダを示すフォルダアイコンが含まれている。
【００７９】
図８には、フォルダツリー表示部６２に表示されている、「D\clientA\clientB\」というパスにより特定されるフォルダを示すアイコンが利用者によりクリックされたときにおける、ファイル一覧表示画面６１が例示されている。ファイル一覧表示部６３には、「D\clientA\clientB\」というパスにより特定される、クライアント側フォルダ内の３つのファイルのファイル名を示すファイル名情報６４、これらのファイルの作成日を示す作成日情報６５、これらのファイルのサイズを示すサイズ情報６６、これらのファイルが要約ファイルであるか否かを示す要約見出し情報６７が表示されている。要約見出し情報６７が「要約」と示されているファイルについては、そのファイル自体ではなく、そのファイルの要約が含まれる要約ファイルがクライアント側フォルダ内に記憶されている。
【００８０】
具体的には、例えば、図８に例示するように、ファイル名が「テストデータ」であるファイルについては、要約ファイルがクライアント側フォルダ内に記憶されている。
【００８１】
本実施形態では、クライアント１４は、図８に例示する３つのファイルのファイル名情報６４と要約見出し情報６７とが少なくとも含まれるファイル一覧情報をサーバ１２に送信する。
【００８２】
そして、サーバ１２の記憶制御部３０は、クライアント１４から送信されたファイル一覧情報を取得する（Ｓ１０２）。
【００８３】
そして、サーバ１２の記憶制御部３０は、サーバ１２の記憶部２２に記憶されている同期設定情報に含まれるサーバ位置情報に基づき、サーバ位置情報が示すフォルダ（ここでは、「http://fujixxxxx.com/serverA/serverB/」というＵＲＬにより特定されるフォルダ）、すなわち、サーバ側フォルダ内に、クライアント側フォルダ内に記憶させるか否かについて判断されていないファイルが残っているか否かを確認する（Ｓ１０３）。
【００８４】
ここで、クライアント側フォルダ内に記憶させるか否かについて判断されていないファイルが残っている場合は（Ｓ１０３：Ｙ）、記憶制御部３０は、クライアント側フォルダ内に記憶させるか否かについて判断されていない記憶対象ファイルを１つ取得する（Ｓ１０４）。
【００８５】
そして、記憶制御部３０は、ファイル一覧情報を参照して、この記憶対象ファイルと同じ名前のファイルがクライアント側フォルダ内に存在するか否かを確認する（Ｓ１０５）。
【００８６】
図９は、本実施形態において、サーバ側フォルダ内に含まれる記憶対象ファイルの一例を示す概念図である。図９には、記憶対象ファイルのファイル名を示すファイル名情報６４、記憶対象ファイルの作成日を示す作成日情報６５、記憶対象ファイルのサイズを示すサイズ情報６６が示されている。
【００８７】
図９に例示されているように、ファイル名が「テストデータ」である記憶対象ファイルと、「現場写真」である記憶対象ファイルは、サーバ１２が取得したファイル一覧情報に含まれるファイル名に対応している。すなわち、これらのファイルと同じ名前のファイルがクライアント側フォルダ内に存在する。
【００８８】
ここで、記憶対象ファイルと同じ名前のファイルがクライアント側フォルダ内に存在する場合は（Ｓ１０５：Ｙ）、サーバ側フォルダ内の記憶対象ファイルよりも、クライアント側フォルダ内の、記憶対象ファイルと同じ名前のファイルが古いか否かを確認する（Ｓ１０６）。
【００８９】
このファイルと同じ名前のファイルがクライアント側フォルダ内に存在しない場合は（Ｓ１０５：Ｎ）、サーバ１２が備える記憶部２２に記憶されている同期設定情報に含まれる要約取得条件情報が示す条件を、記憶対象ファイルが満たしているか否かを確認する（Ｓ１０７）。
【００９０】
Ｓ１０６に例示する処理において、サーバ側フォルダ内に記憶されている記憶対象ファイルよりも、クライアント側フォルダ内に記憶されているファイルが古い場合は（Ｓ１０６：Ｙ）、クライアント側フォルダ内に記憶されているファイルが要約ファイルであるか否かを確認する（Ｓ１０８）。
【００９１】
クライアント側フォルダ内に記憶されているファイルが要約ファイルである場合は（Ｓ１０８：Ｙ）、代替情報生成部３４は、サーバ側フォルダ内の記憶対象ファイルに基づいて、要約ファイルを生成する（Ｓ１０９）。この要約ファイルには、サーバ側フォルダにおける記憶対象ファイルの所在を示す所在情報が含まれている。
【００９２】
Ｓ１０７に例示する処理において、要約取得条件情報が示す条件を、記憶対象ファイルが満たしている場合も（Ｓ１０７：Ｙ）、代替情報生成部３４は、サーバ側フォルダ内の記憶対象ファイルに基づいて、要約ファイルを生成する（Ｓ１０９）。
【００９３】
そして、記憶制御部３０は、Ｓ１０９に例示する処理において生成された要約ファイルをクライアント１４に出力する（Ｓ１１０）。そして、クライアント１４は、要約ファイルを取得して、クライアント側フォルダ内に記憶する。
【００９４】
Ｓ１０８に例示する処理において、クライアント側フォルダ内に記憶されているファイルが要約ファイルでない場合は（Ｓ１０８：Ｎ）、記憶制御部３０は、記憶対象ファイル自体をクライアント１４に出力する（Ｓ１１１）。Ｓ１０７に例示する処理において、要約取得条件情報が示す条件を、記憶対象ファイルが満たしていない場合も、記憶制御部３０は、記憶対象ファイル自体をクライアント側フォルダ内に出力する。
【００９５】
Ｓ１１０に例示する処理、又は、Ｓ１１１に例示する処理が終了すると、記憶制御部３０は、再度、サーバ位置情報が示すサーバ１２内のフォルダ内に、クライアント側フォルダ内に記憶させるか否かについて判断されていないファイルが残っているか否かを確認する（Ｓ１０３）。また、Ｓ１０６に例示する処理において、サーバ側フォルダ内に記憶されている記憶対象ファイルよりも、クライアント側フォルダ内に記憶されているファイルが新しい場合も（Ｓ１０６：Ｎ）、記憶制御部３０は、再度、サーバ位置情報が示すサーバ１２内のフォルダ内に、クライアント側フォルダ内に記憶させるか否かについて判断されていないファイルが残っているか否かを確認する（Ｓ１０３）。
【００９６】
本実施形態では、ファイル名が、「テストデータ」であるファイルも、「現場写真」であるファイルも、サーバ側フォルダ内のファイルよりも、クライアント側フォルダ内のファイルの方が古い。そして、ファイル名が「テストデータ」であるファイルについては、クライアント側フォルダ内に記憶されているファイルは要約ファイルである。
【００９７】
そこで、ファイル名が「テストデータ」であるファイルについては、記憶制御部３０は、要約ファイルを生成して、クライアント１４に出力する。一方、ファイル名が「現場写真」であるファイルについては、クライアント側フォルダ内のファイルは要約ファイルではないので、記憶制御部３０は、要約ファイルは生成せずに、サーバ側フォルダ内の記憶対象ファイル自体をクライアント１４に出力する。
【００９８】
このように、判断部３２は、サーバ１２が、記憶対象情報（記憶対象ファイル）を、サーバ１２が備える記憶部２２（サーバ側フォルダ）からクライアント１４が備える記憶装置（クライアント側フォルダ）に記憶させたことがある場合には、記憶対象情報（記憶対象ファイル）と代替情報（要約ファイル）とのうち、記憶対象情報（記憶対象ファイル）をクライアント側フォルダに記憶させるよう判断してもよい。
【００９９】
なお、Ｓ１０８に例示する処理において、判断部３２が上記の判断を行う方法は、上記に例示した方法に限られない。例えば、サーバ１２が、記憶対象情報（記憶対象ファイル）を、サーバ１２が備える記憶部２２（サーバ側フォルダ）からクライアント１４が備える記憶装置（クライアント側フォルダ）に記憶させたことがある記憶対象情報（記憶対象ファイル）の一覧を示すテーブルを、サーバ１２が備える記憶部２２に記憶して、判断部３２は、このテーブルを参照して、サーバ１２が、記憶対象情報（記憶対象ファイル）を、サーバ１２が備える記憶部２２（サーバ側フォルダ）からクライアント１４が備える記憶装置（クライアント側フォルダ）に記憶させたことがあるか否かを判断するようにしてもよい。
【０１００】
また、記憶制御部３０は、クライアント側フォルダ内の、ファイル名が「テストデータ」であるファイルと、「現場写真」であるファイルを、上書きしてもよい。すなわち、記憶制御部３０は、サーバ１２が備える記憶部２２に記憶されている記憶対象情報をクライアント１４が備える記憶装置に記憶させるよう記憶制御する際に、この記憶対象情報の所在を示す所在情報を含む代替情報が、クライアント１４が備える記憶装置に記憶されている場合は、この記憶対象情報を、この代替情報と置換して記憶させるよう記憶制御しても構わない。
【０１０１】
サーバ側フォルダ内の記憶対象ファイルのうち、ファイル名が、「テスト結果」であるファイル、「テスト報告書」であるファイル、「集計結果」であるファイルは、同じファイル名のファイルがクライアント側フォルダ内に存在しない。そして、ファイル名が「テスト結果」であるファイルは、図９に例示するように、「ファイルサイズが１００ＭＢ以上」という条件を満たす。
【０１０２】
そこで、ファイル名が「テスト結果」であるファイルについては、要約ファイルを生成して、クライアント１４に出力する。一方、ファイル名が「テスト報告書」であるファイルと、ファイル名が「集計結果」であるファイルは、要約ファイルは生成せずに、サーバ側フォルダ内の記憶対象ファイル自体をクライアント１４に出力する。
【０１０３】
Ｓ１０３に例示する処理において、クライアント１４が備える記憶装置に記憶させるか否かについて判断されていないファイルがサーバ側フォルダ内に残っていない場合は（Ｓ１０３：Ｎ）、ファイル一覧情報を参照して、ファイル一覧情報に示されているファイルのうち、サーバ１２が備える記憶部２２の、サーバ側フォルダ内に存在しないファイルがあるか否かを確認する（Ｓ１１２）。
【０１０４】
ここで、ファイル一覧情報に示されているファイルのうち、サーバ側フォルダ内に存在しないファイルがある場合は（Ｓ１１２：Ｙ）、該当するファイルをクライアント１４から削除することを示す指示を、記憶制御部３０はクライアント１４に出力する（Ｓ１１３）。
【０１０５】
本実施形態では、ファイル名が「ダミーデータ」であるファイルは、サーバ側フォルダ内に存在しないので、このファイルをクライアント１４から削除する指示を、記憶制御部３０はクライアント１４に出力する。そして、クライアント１４は、サーバ１２からの指示を受け付け、クライアント側フォルダ内の、ファイル名が「ダミーデータ」であるファイルを削除する。
【０１０６】
そして、記憶制御部３０は、Ｓ１１３に例示する処理が終了したとき、又は、Ｓ１１２に例示する処理において、サーバ側フォルダ内に記憶されていない記憶対象ファイルがない場合は（Ｓ１１２：Ｎ）、処理が終了したことを示す処理終了通知をクライアント１４に出力し（Ｓ１１４）、処理を終了する。
【０１０７】
次に、サーバ１２が、クライアント１４からの要求に応じて、クライアント側フォルダ内に要約ファイルに対応するサーバ側フォルダ内の記憶対象ファイルをクライアント内フォルダ内に記憶させる処理の流れの一例を図１０に例示するフロー図を参照しながら説明する。なお、本実施形態では、記憶対象ファイルには「タイトル」、「概要」、「作成者」、「作成日」、「更新日」、「サイズ」、「カテゴリ」などの付加情報が関連付けられている。
【０１０８】
図８に例示するファイル一覧表示画面６１において、ファイル名をクリックすると、クライアント１４が備える制御装置は、クリックされたファイル名のファイル（以下、「ダウンロード対象ファイル」と呼ぶ。）についての図１１に例示する付加情報画面６８を、ファイル一覧表示画面６１とは別の画面として、クライアント１４が備えるディスプレイなどの出力装置に出力する。
【０１０９】
付加情報画面６８は、タイトルフォーム６９、概要フォーム７０、作成者表示部７１、作成日表示部７２、更新日表示部７３、サイズ表示部７４、カテゴリフォーム７５、付加情報更新ボタン７６、記憶対象ファイルダウンロードボタン７７、閉じるボタン７８を含んでいる。タイトルフォーム６９には、ダウンロード対象ファイルのタイトルが示されている。概要フォーム７０には、ダウンロード対象ファイルの概要が示されている。作成者表示部７１にはダウンロード対象ファイルの作成者名が示されている。作成日表示部７２にはダウンロード対象ファイルの作成日が示されている。更新日表示部７３にはダウンロード対象ファイルの更新日が示されている。サイズ表示部７４には、ダウンロード対象ファイルのサイズが示されている。カテゴリフォーム７５には、ダウンロード対象ファイルのカテゴリが示されている。
【０１１０】
クライアント１４が備える制御装置は、クライアント側フォルダに記憶されている要約ファイルや記憶対象ダウンロード対象ファイルから付加情報を取得して付加情報画面６８に出力してもよい。また、クライアント１４が備える制御装置は、サーバ１２に付加情報の取得要求を送信することによってサーバ１２から送信される、サーバ内フォルダに記憶されている記憶対象ファイルの付加情報を取得して付加情報画面６８に出力してもよい。
【０１１１】
記憶対象ファイルダウンロードボタン７７は、ダウンロード対象ファイルが要約ファイルである場合に、利用者によって押下可能な状態となる。
【０１１２】
ここで、利用者が、ダウンロード対象ファイルが要約ファイルである場合に、記憶対象ファイルダウンロードボタン７７を押下すると、クライアント１４は、サーバ１２にファイルのサーバ１２における所在情報を送信する。具体的には、例えば、「http://fujixxxxx.com/serverA/serverB/テストデータ」というＵＲＬをサーバ１２に送信する。すると、サーバ１２の所在情報受付部３６は、クライアント１４から送信された所在情報を受け付ける（Ｓ２０１）。
【０１１３】
そして、代替情報置換部３８は、所在情報が示す所在（例えば、「http://fujixxxxx.com/serverA/serverB/テストデータ」というＵＲＬ）により特定される記憶対象情報をサーバ１２が備える記憶部２２から取得して、クライアント１４に出力する（Ｓ２０２）。そして、クライアント１４は、代替情報を、サーバ１２から出力された記憶対象情報に置換する。
【０１１４】
利用者が、閉じるボタン７８を押下すると、クライアント１４が備える制御装置は、付加情報画面６８をクライアント１４が備えるディスプレイなどの出力装置から消去する。
【０１１５】
次に、サーバ１２が備える記憶部２２に記憶されている記憶対象ファイルの付加情報を変更する処理の流れの一例について説明する。
【０１１６】
図１１に示す付加情報画面６８において、例えば、利用者が、カテゴリフォーム７５に「単体テストフェーズ」という文字列を上書き入力した上で、付加情報更新ボタン７６を押下すると、クライアント１４は、所在情報が示す所在（例えば、「http://fujixxxxx.com/serverA/serverB/テストデータ」というＵＲＬ）により特定される記憶対象情報の、カテゴリを示す付加情報を「テストフェーズ」から「単体テストフェーズ」に変更する指示を示す情報をサーバ１２に送信する。すると、サーバ１２の付加情報変更受付部４０は、付加情報の変更指示を示す情報を受け付ける。そして、付加情報変更部４２は、所在情報が示す所在（例えば、「http://fujixxxxx.com/serverA/serverB/テストデータ」）により特定される記憶対象情報のカテゴリを示す付加情報を「テストフェーズ」から「単体テストフェーズ」に変更する。
【０１１７】
なお、本発明は上記実施形態に限定されるものではない。
【０１１８】
例えば、サーバ１２で実現される記憶制御部３０の機能は、設定された「同期時刻」などの予め定められたスケジュールに従って、サーバ１２が備える記憶部２２に記憶されている記憶対象情報をクライアント１４が備える記憶装置に記憶させるよう記憶制御する機能（いわゆる「同期機能」）にはもちろん限定されない。例えば、記憶制御部３０の機能が、利用者からの要求に応じて、逐次、サーバ１２が備える記憶部２２に記憶されている記憶対象情報をクライアント１４が備える記憶装置に記憶させるよう記憶制御するものであってももちろん構わない。
【０１１９】
また、所在条件受付部４４、及び、代替情報置換部３８を有さない実施形態が考えられる。また、付加情報変更受付部４０、及び、付加情報変更部４２を有さない実施形態が考えられる。また、条件受付部４４、及び、条件変更部４６を有さない実施形態が考えられる。
【０１２０】
また、サーバ１２が、サーバ１２が備える記憶部２２に同期設定情報などの条件情報を記憶する必要はない。例えば、サーバ１２の記憶制御部３０が、サーバ１２が備える記憶部２２に記憶されている記憶対象ファイルをクライアント１４が備える記憶装置に記憶させる度に、サーバ１２の条件受付部４４がクライアント１４から条件情報を受け付け、判断部３２が、条件受付部４４が受け付けた判断条件に基づいて、代替情報をクライアント１４が備える記憶装置に記憶させるか否かを判断するようにしてもよい。
【０１２１】
また、サーバ１２が、同期時刻情報をサーバ１２が備える記憶部２２に記憶し、この同期時刻情報が示す時刻に基づいて、記憶制御部３０が、サーバ１２が備える記憶部２２に記憶されている記憶対象情報をクライアント１４が備える記憶装置に記憶させるようにしてもよい。
【０１２２】
また、サーバ１２が、代替情報に基づいて、記憶対象情報を生成する機能を備えていてもよい。
【０１２３】
また、条件情報などの電子情報は、サーバ１２が備える記憶部２２、クライアント１４が備える記憶装置に限らず、どの記憶手段に記憶されていても構わない。
【０１２４】
また、情報処理システム１０は、サーバ１２とクライアント１４による構成ではなく、１台の情報処理装置による構成でも構わない。また、サーバ１２は１台に限られず複数台あってもよい。
【０１２５】
また、代替情報を取得したクライアント１４が備える記憶装置に記憶されている代替情報を、異なるクライアント１４に移せるようにしてもよい。このとき、代替情報が移されたクライアント１４において、代替情報に含まれる所在情報が示す所在により特定される記憶対象情報を取得できるようにしてもよい。
【０１２６】
また、サーバ１２が備える記憶部２２に記憶されている記憶対象情報をクライアントが備える記憶装置に記憶させる場合だけではなく、クライアント１４が備える記憶装置に記憶されている記憶対象情報をサーバ１２が備える記憶部２２に記憶させる場合など、第１の記憶装置に記憶されている記憶対象情報を第２の記憶装置に記憶させる場合一般に、本発明を適用しても構わない。
【０１２７】
また、サーバ１２が備える記憶部やクライアント１４が備える記憶装置を情報処理システム１０外の別のコンピュータに設け、サーバ１２やクライアント１４と通信する構成とした、分散型情報処理システムに、本発明を適用しても構わない。
【０１２８】
また、上記実施形態では記憶対象情報の一例として、ファイルを挙げたが、ファイル以外の記憶対象情報に対して、本発明を適用しても構わない。
【０１２９】
また、サーバ１２とクライアント１４の役割分担や情報処理プログラムの実装方式は、上記実施形態に限られない。
【０１３０】
なお、本明細書中に記載された具体的な数値や、ＵＲＬやパスなどの具体的な文字列は例示であり、これらの数値や文字列に限定されない。
【図面の簡単な説明】
【０１３１】
【図１】本発明の一実施形態に係る情報処理システムのネットワーク構成の一例を示す図である。
【図２】本発明の一実施形態に係るサーバのハードウェア構成の一例を示す図である。
【図３】本発明の一実施形態に係るサーバの機能ブロックの一例を示す図である。
【図４】メニュー画面がディスプレイなどの出力装置に表示されたクライアントの一例を示す図である。
【図５】要約取得条件設定画面の一例を示す図である。
【図６】情報処理システムで行われる処理のフローの一例を示す図である。
【図７】情報処理システムで行われる処理のフローの一例を示す図である。
【図８】ファイル一覧表示画面の一例を示す図である。
【図９】サーバ側フォルダ内に含まれる記憶対象ファイルの一例を示す概念図である。
【図１０】情報処理システムで行われる処理のフローの一例を示す図である。
【図１１】付加情報画面の一例を示す図である。
【符号の説明】
【０１３２】
１０  情報処理システム、１２  情報処理装置（サーバ）、１４  利用者端末（クライアント）、１６  ネットワーク、２０  制御部、２２  記憶部、２４  通信部、２６  バス、３０  記憶制御部、３２  判断部、３４  代替情報生成部、３６  所在情報受付部、３８  代替情報置換部、４０  付加情報変更受付部、４２  付加情報変更部、４４  条件受付部、４６  条件変更部、５０  メニュー画面、５１  ファイル一覧表示ボタン、５２  要約取得条件設定ボタン、５３  要約取得条件設定画面、５４  サーバ位置指定フォーム、５５  クライアント位置指定フォーム、５６  同期時刻指定フォーム、５７  要約取得条件指定フォーム、５８  即時同期チェックボックス、５９  適用ボタン、６０  キャンセルボタン、６１  ファイル一覧表示画面、６２  フォルダツリー表示部、６３  ファイル一覧表示部、６４  ファイル名情報、６５  作成日情報、６６  サイズ情報、６７  要約見出し情報、６８  付加情報画面、６９  タイトルフォーム、７０  概要フォーム、７１  作成者表示部、７２  作成日表示部、７３  更新日表示部、７４  サイズ表示部、７５  カテゴリフォーム、７６  付加情報更新ボタン、７７  記憶対象ファイルダウンロードボタン、７８  閉じるボタン。
【図１】
0004502015.tif 000002
【図２】
0004502015.tif 000003
【図３】
0004502015.tif 000004
【図４】
0004502015.tif 000005
【図５】
0004502015.tif 000006
【図６】
0004502015.tif 000007
【図７】
0004502015.tif 000008
【図８】
0004502015.tif 000009
【図９】
0004502015.tif 000010
【図１０】
0004502015.tif 000011
【図１１】
0004502015.tif 000012